(57)【要約】【課題】融雪リングにおける不要な発熱の抑制を図る。【解決手段】架空送電線Ｓの表面に装着する融雪リング１０であって、磁性体からなり、円周の一部に切り込み２１が形成された第一リング２０と、第一リングよりも線膨張係数の大きな材料からなり、第一リングと同心となる配置で当該第一リングに一体的に接着された第二リング３０とを備えることを特徴とする。【選択図】図４
2012222997.tif 000002
【特許請求の範囲】
【請求項１】
架空送電線の表面に装着する融雪リングであって、
磁性体からなり、円周の一部に切り込みが形成された第一リングと、
前記第一リングよりも線膨張係数の大きな材料からなり、前記第一リングと同心となる配置で当該第一リングに一体的に接着された第二リングとを備えることを特徴とする融雪リング。
【請求項２】
前記第一リングの内周面に前記第二リングの外周面が接着されて一体化されていることを特徴とする請求項１記載の融雪リング。
【発明の詳細な説明】
【技術分野】
【０００１】
本発明は、架空送電線に取り付けて付着した雪を溶かす融雪リングに関するものである。
【背景技術】
【０００２】
架空送電線に着雪が発生すると、それがある程度の固まりとなってから落下したときに、線下の瓦屋根やビニールハウス、温室などに被害を及ぼすことがあり、その対策が求められている。
【０００３】
落雪被害防止対策としては従来から、架空送電線に融雪リングを装着することが考案されていた。融雪リングは、強磁体からなる環状部材であり、架空送電線に装着することで、電線に流れる電流により発生する交番磁界で磁性線材が発熱し、着雪を融かす、というものである（特許文献１参照）。
【先行技術文献】
【特許文献】
【０００４】
【特許文献１】特開２００８−０２１４８３号公報
【発明の概要】
【発明が解決しようとする課題】
【０００５】
しかしながら、上記融雪リングは、発熱量を小さく設計すると、発生した熱のほとんどが温度の低い電線に吸収されて、リングの温度が上昇せず、十分に融雪を行うことができない。一方、リングの発熱量が融雪に適した温度となるよう設計すると、夏場での発熱が大きくなりすぎて、電線の温度を必要以上に上げてしまう。
この融雪リングによる電線の不要な温度上昇は、電線の許容電流を低下させるため、実用上大きな問題であった。
【０００６】
本発明は、過剰な温度上昇を生じない融雪リングを提供することをその目的とする。
【課題を解決するための手段】
【０００７】
請求項１記載の発明は、架空送電線の表面に装着する融雪リングであって、磁性体からなり、円周の一部に切り込みが形成された第一リングと、前記第一リングよりも線膨張係数の大きな材料からなり、前記第一リングと同心となる配置で当該第一リングに一体的に接着された第二リングとを備えることを特徴とする。
また、請求項２記載の発明は、請求項１記載の発明と同様の構成を備えると共に、前記第一リングの内周面に前記第二リングの外周面が接着されて一体化されていることを特徴とする。
【発明の効果】
【０００８】
本願発明は、第一リングが磁性体であることから、架空送電線の通電時には交番電界により発熱し、電線に付着した雪を効果的に溶かすことができ、ある程度の温度を超えると、第二リングの膨張により第一リングの切り込みが離間し、磁気回路の切れ目によって発熱量を低減する。従って、ある一定の温度を超える発熱が回避され、例えば夏場等に架空送電線に余分な加熱を行うことを回避することが可能となる。
【０００９】
また、第一リングの内周面に第二リングの外周面を接着して一体化を図る構成の場合には、第一リングが第二リングの外側となるため、第二リングの介在により第一リングの熱が架空送電線側に伝達されにくくなり、さらに、周囲の雪を効果的に加熱して融雪を行うことが可能となる。
また、第二リンクは、第一リングよりも線膨張係数が高い素材から形成すれば良いので、その材料選択の幅が広く、例えば、架空送電線の表面と同種の素材を選択すれば、異種金属腐食などの発生を抑制し、耐久性を高め、リングの長寿命化を図ることが可能となる。
【図面の簡単な説明】
【００１０】
【図１】本発明の実施形態に係る融雪リングの架空送電線への装着状態を示す説明図である。
【図２】融雪リングの斜視図である。
【図３】図３（Ａ）は融雪リングの正面図、図３（Ｂ）は側面図を示している。
【図４】融雪リングの発熱時の状態説明図である。
【発明を実施するための形態】
【００１１】
［発明の実施形態］
本発明の実施形態として、架空送電線Ｓに装着される融雪リング１０について図１〜図４に基づいて説明する。
図１は融雪リング１０の架空送電線Ｓへの装着状態を示す説明図である。
この融雪リング１は、図１に示すように、内側に架空送電線Ｓを挿入するようにして当該架空送電線Ｓの外周に取り付けられ、架空送電線Ｓの通電時に発熱を生じて架空送電線Ｓに付着した雪を溶かすことを可能とする。
【００１２】
図２は融雪リング１０の斜視図、図３（Ａ）は融雪リング１０の正面図、図３（Ｂ）は側面図を示している。図示のように、融雪リング１０は、強磁性体からなる第一リング２０と非磁性体からなる第二リング３０とを備え、これらが同心で互いにその一部が接着されて一体化されている。
【００１３】
第一リング２０は、円周の一カ所に切り込み２１が形成された有端環状体（略Ｃ字状体）であり、常温下ではその切り込み２１は閉じて接触した状態にある。
また、この第一リング２０は、Ni-Fe等の強磁性体から形成されており、架空送電線Ｓを挿入させた状態で架空送電線Ｓに電流が流されると、第一リング２０には交番磁界が発生して発熱を生じるようになっている。
【００１４】
第二リング３０は、円周の一カ所に切り込み３１が形成された有端環状体（略Ｃ字状体）であり、常温下ではその切断端部同士が接触した状態にある。そして、この第二リング３０はその外周面が第一リング２０の内周面に接着されて一体的なリングを構成している。また、第一リング２０と第二リング３０とは、互いの切り込み２１，３１の位置が一致するように接着されている。
なお、この実施形態では、第二リング３０は、もともとは第一リング２０と同じ幅の帯状の平板であり、当該平板を第一リング２０の形状に合わせて当該第一リング２０の内面側に貼着することにより、結果的に有端環状体（略Ｃ字状体）を形成している。
そして、この第二リング３０は、例えば、線膨張係数がNi-Feよりも線膨張係数の高いアルミニウムで形成されている。
【００１５】
上記線膨張係数の異なる二種類のリング２０，３０を貼り合わせて一体化した融雪リング１０は、いわゆるバイメタルを構成している。
従って、図１に示すように一定の間隔で架空送電線Ｓの外周面上に取り付けられ、架空送電線Ｓに電流が流されると、強磁性体で構成された第一リング２０は架空送電線Ｓからの交番磁界により発熱する。そして、着雪時には、第一リング２０の発熱により架空送電線Ｓに付着した雪を溶かすことができる。
一方、第一リング２０の発熱が進行して温度が高くなると、線膨張係数の大きな内側の第二リング３０も加熱されて膨張し、外側の第一リング２０を押し広げるため、融雪リング１０の径が大きくなる方向に変形し、図４に示すように、第一リング２０の切込み２１及び第二リング３０の切り込み３１に間隙を生ずる。
ここで、第一リング２０の発熱量は切込み２１における隙間がない状態のとき最大となり、隙間が発生すると、磁気回路に切れ目が生ずるために第一リング２０の発熱量は低下する。
【００１６】
従って、降雪時の低温下では第一リング２０には切り込み２１に隙間を生じにくいため、第一リング２０は高い発熱量を維持し、効果的に融雪できる。
一方、夏季等の周囲の温度が高いときには、発熱時に第一リング２０の切り込み２１に隙間を生じ、磁気回路の切れ目によって発熱量を低減し、不要な発熱を抑えることができる。従って、架空送電線Ｓの不要な温度上昇を抑制することが可能となる。
【００１７】
また、第二リング３０にアルミニウムを用いることにより、融雪リング１０を安価で加工形成が容易なバイメタルを構成し、生産性の高い融雪リングを提供することが可能となる。
また、架空送電線Ｓの表面が同じアルミニウムで形成されている場合には、異種金属接触腐食などの発生を抑制し、耐久性を高め、リングの長寿命化を図ることが可能となる。
【００１８】
［実施例］
上記融雪リング１０の具体的な態様を例示する。例えば、ACSR810mm2の架空送電線Ｓに取り付ける場合、図３に示すように、第一リング２０は厚さh＝5mm、横幅w＝10mm、内径d＝42ｍmとし、Fe-Ni系の強磁性体で形成する。
また、第一リング２０の内側には、例えばアルミニウムでできた厚さs＝2mm程度の板を接着し、これを第二リング３０とする。
Fe-Ni系合金（第一リング２０）の線膨張係数は10×10-6/℃程度であるのに対し、アルミニウム（第二リング３０）の線膨張係数は23×10-6/℃程度であり、融雪リング１０は線膨張係数の違いによりバイメタルを構成する。
また、融雪リング１０の取付け間隔Dは小さいほど落雪を細分化できることから、好ましくは500mm以下、より好ましくは300mm以下とする。
かかる構成の融雪リング１０、上記間隔Dで複数装備にすることにより、ACSR810mm2の架空送電線Ｓに好適な融雪効果を付与することが可能である。
【００１９】
［その他］
なお、第一リング２０は、上記架空送電線Ｓの通電により発熱を生じる磁性体であれば良く、さらには、Fe,Ni,Co等の強磁性材料又はこれらの合金から形成しても良いが、キュリー点の低い材料を用いることがより好適である。
また、第二リング３０も第一リング２０よりも線膨張係数の高い材料であれば良く、さらには、金属でなくとも良い。
第二リング３０は、無端環状（Ｏ状）のリングであっても良い。かかる構造でも有端環状（Ｃ字状）の場合と同様に、所定温度を超えると、第一リング２０の切断部が離間するように当該第一リング２０を内側から押し広げることが可能である。
【００２０】
第一リング２０と第二リング３０との接着は、接着剤などの使用が考えられるが、これに限らず、リングの一体化には溶接、ネジ止めなど他の方法を用いても良い。
また、上記融雪リング１０のように、第二リング３０が第一リング２０の内側に設けられる場合には、第二リング３０の外周面の全周囲を第一リング２０の内周面に接着しない方法も考えられる。または、第二リング３０の外周面の一部の範囲のみを第一リング２０に接着しても良い。
【符号の説明】
【００２１】
１０，１０Ａ  融雪リング
２０  第一リング
２１  切り込み
３０  第二リング
３１  切り込み
Ｓ  架空送電線
【図１】
2012222997.tif 000003
【図２】
2012222997.tif 000004
【図３】
2012222997.tif 000005
【図４】
2012222997.tif 000006